(57)【要約】【課題】  貯米ケースの上端開口を蓋体に開閉する作業が楽になるようにする。【解決手段】  貯米ケース１０の上端開口側の前後に前ストッパー５１と後ストッパー５２とが設けられ、蓋体１３に、蓋体１３の閉塞位置で前ストッパー５１に後側から接当して蓋体１３の前方移動を規制する前接当片５５と、蓋体１３の閉塞位置で後ストッパー５２に前側から接当して蓋体１３の後方移動を規制する後接当片５６とが設けられ、  貯米ケース１０の上端開口の左右両側に、支持レール４６が前後方向に設けられ、蓋体１３の後部の左右両側に、蓋体１３の前側を持ち上げることにより前接当片５５が前ストッパー５１に対して上方に外れると共に蓋体１３が前上がりに傾斜して前記一対の支持レール４６にそれぞれ前後摺動可能になる左右一対の摺動部５７が設けられている。【選択図】図４
2011020027.tif 000002
【特許請求の範囲】
【請求項１】
洗米槽（５）の上に貯米タンク（１１）を有する貯米ケース（１０）が配置され、貯米ケース（１０）の上端開口を蓋体（１３）により開閉自在に塞ぐようにした洗米装置の貯米庫であって、
貯米ケース（１０）の上端開口側の前後に前ストッパー（５１）と後ストッパー（５２）とが設けられ、蓋体（１３）に、蓋体（１３）の閉塞位置で前ストッパー（５１）に後側から接当して蓋体（１３）の前方移動を規制する前接当片（５５）と、蓋体（１３）の閉塞位置で後ストッパー（５２）に前側から接当して蓋体（１３）の後方移動を規制する後接当片（５６）とが設けられ、
貯米ケース（１０）の上端開口の左右両側に、支持レール（４６）が前後方向に設けられ、蓋体（１３）の後部の左右両側に、蓋体（１３）の前側を持ち上げることにより前接当片（５５）が前ストッパー（５１）に対して上方に外れると共に蓋体（１３）が前上がりに傾斜して前記一対の支持レール（４６）にそれぞれ前後摺動可能になる左右一対の摺動部（５７）が設けられていることを特徴とする洗米装置の貯米庫。
【請求項２】
前記左右一対の支持レール（４６）が前下がりに傾斜して配置されていることを特徴とする請求項１に記載の洗米装置の貯米庫。
【請求項３】
貯米ケース（１０）はケース前壁（１５）とケース後壁（１６）と左右一対のケース側壁（１７）とを有する箱状に形成され、貯米タンク（１１）はその上部側がタンク前壁（２４）とタンク後壁（２５）と左右一対のタンク側壁（２６）を有する角筒状に形成され、タンク前壁（２４）の上端部に前係合部（２７）が設けられ、タンク後壁（２５）の上端部に後係合部（２８）が設けられ、左右一対のタンク側壁（２６）の上端部に側方係合部（２９）が設けられ、貯米タンク（１１）を貯米ケース（１０）内に挿入した状態で貯米ケース（１０）の上端の開口縁部に前係合部（２７）、後係合部（２８）及び側方係合部（２９）をそれぞれ係合することにより、貯米タンク（１１）は貯米ケース（１０）内に保持固定されていることを特徴とする請求項１又は２に記載の洗米装置の貯米庫。
【請求項４】
左右一対のタンク側壁（２６）の側方係合部（２９）の上面側が前記左右一対の支持レール（４６）とされ、タンク前壁（２４）の前係合部（２７）が前記前ストッパー（５１）とされ、タンク側壁（２６）の後係合部（２８）に前記後ストッパー（５２）が起立状に設けられていることを特徴とする請求項３に記載の洗米装置の貯米庫。
【請求項５】
前記蓋体（１３）は蓋天壁（３３）と蓋天壁（３３）の前端から下方突出した蓋前壁（３４）と蓋天壁（３３）の後端から下方突出した蓋後壁（３５）と蓋天壁（３３）の左右両端から下方突出した左右一対の蓋側壁（３６）とを有し、蓋体（１３）が貯米ケース（１０）の上端開口を塞ぐ状態で、蓋体（１３）の蓋前壁（３４）が蓋体（１３）の前係合部（２７）を前側から覆い、左右一対の蓋側壁（３６）が一対の側方係合部（２９）を外側方から覆うように構成され、蓋天壁（３３）の前部の下面側に前記前接当片（５５）が下方突設され、蓋後壁（３５）はケース後壁（１６）の後係合部（２８）をその上縁から左右両側に跨って上側から覆うように形成されて、蓋後壁（３５）が前記後接当片（５６）とされ、蓋後壁（３５）の左右一対の側方係合部（２９）に対応する部分が前記左右一対の摺動部（５７）とされていることを特徴とする請求項１〜４のいずれか１項に記載の洗米装置の貯米庫。
【請求項６】
タンク後壁（２５）の左右両側に左右一対の後規制部（５９）が外側方に突設され、蓋体（１３）の左右一対の蓋側壁（３６）の後部に、後規制部（５９）に前側から接当する左右一対の後接当部（６０）がそれぞれ内方突設されていることを特徴とする請求項３〜５のいずれか１項に記載の洗米装置の貯米庫。
【発明の詳細な説明】
【技術分野】
【０００１】
本発明は、洗米装置の貯米庫に関するものである。
【背景技術】
【０００２】
自動炊飯機等に使用される洗米装置の貯米庫には、上端が開口した貯米ケース内に貯米タンクが設けられ、貯米ケースの上端開口を蓋体により開閉自在に塞ぐようにしたものがあり、この種の従来の洗米装置の貯米庫は、蓋体が貯米ケースの開口縁部に着脱自在に嵌合することにより取り付けられていた（例えば特許文献１〜３）。
【先行技術文献】
【特許文献】
【０００３】
【特許文献１】特開２００５−１３４２８号公報
【特許文献２】特開２００３−９３２２８号公報
【特許文献３】特開２００１−２５８７２６号公報
【発明の概要】
【発明が解決しようとする課題】
【０００４】
従って、従来では、蓋体を開いて貯米タンクに米を補給する場合、貯米ケースの上端部から蓋体を持ち上げて、貯米ケースから蓋体を取り外す必要があるし、また、蓋体で貯米ケースの上端開口を閉じる場合、蓋体を貯米ケースよりも高く持ち上げて貯米ケースの上端に嵌合する必要があり、貯米ケースの上端開口を蓋体で開閉する作業が面倒であった。
本発明は上記問題点に鑑み、貯米ケースの上端開口を蓋体に開閉する作業が楽になるようにしたものである。
【課題を解決するための手段】
【０００５】
この技術的課題を解決する本発明の技術的手段は、洗米槽の上に貯米タンクを有する貯米ケースが配置され、貯米ケースの上端開口を蓋体により開閉自在に塞ぐようにした洗米装置の貯米庫であって、
貯米ケースの上端開口側の前後に前ストッパーと後ストッパーとが設けられ、蓋体に、蓋体の閉塞位置で前ストッパーに後側から接当して蓋体の前方移動を規制する前接当片と、蓋体の閉塞位置で後ストッパーに前側から接当して蓋体の後方移動を規制する後接当片とが設けられ、
貯米ケースの上端開口の左右両側に、支持レールが前後方向に設けられ、蓋体の後部の左右両側に、蓋体の前側を持ち上げることにより前接当片が前ストッパーに対して上方に外れると共に蓋体が前上がりに傾斜して前記一対の支持レールにそれぞれ前後摺動可能になる左右一対の摺動部が設けられている点にある。
【０００６】
また、本発明の他の技術的手段は、前記左右一対の支持レールが前下がりに傾斜して配置されている点にある。
また、本発明の他の技術的手段は、貯米ケースはケース前壁とケース後壁と左右一対のケース側壁とを有する箱状に形成され、貯米タンクはその上部側がタンク前壁とタンク後壁と左右一対のタンク側壁を有する角筒状に形成され、タンク前壁の上端部に前係合部が設けられ、タンク後壁の上端部に後係合部が設けられ、左右一対のタンク側壁の上端部に側方係合部が設けられ、貯米タンクを貯米ケース内に挿入した状態で貯米ケースの上端の開口縁部に前係合部、後係合部及び側方係合部をそれぞれ係合することにより、貯米タンクは貯米ケース内に保持固定されている点にある。
【０００７】
また、本発明の他の技術的手段は、左右一対のタンク側壁の側方係合部の上面側が前記左右一対の支持レールとされ、タンク前壁の前係合部が前記前ストッパーとされ、タンク側壁の後係合部に前記後ストッパーが起立状に設けられている点にある。
また、本発明の他の技術的手段は、前記蓋体は蓋天壁と蓋天壁の前端から下方突出した蓋前壁と蓋天壁の後端から下方突出した蓋後壁と蓋天壁の左右両端から下方突出した左右一対の蓋側壁とを有し、蓋体が貯米ケースの上端開口を塞ぐ状態で、蓋体の蓋前壁が蓋体の前係合部を前側から覆い、左右一対の蓋側壁が一対の側方係合部を外側方から覆うように構成され、蓋天壁の前部の下面側に前記前接当片が下方突設され、蓋後壁はケース後壁の後係合部をその上縁から左右両側に跨って上側から覆うように形成されて、蓋後壁が前記後接当片とされ、蓋後壁の左右一対の側方係合部に対応する部分が前記左右一対の摺動部とされている点にある。
【０００８】
また、本発明の他の技術的手段は、タンク後壁の左右両側に左右一対の後規制部が外側方に突設され、蓋体の左右一対の蓋側壁の後部に、後規制部に前側から接当する左右一対の後接当部がそれぞれ内方突設されている点にある。
【発明の効果】
【０００９】
本発明によれば、蓋体を開いて貯米タンクに米を補給する場合、従来のように貯米ケースの上端部から蓋体を貯米ケースよりも高く持ち上げて、貯米ケースから蓋体を取り外す必要がなくなり、貯米ケースの上端開口を簡単に開いて、米を補給することができる。また、蓋体で貯米ケースの上端開口を閉じる場合、蓋体を貯米ケースよりも高く持ち上げて貯米ケースの上端に嵌合する必要がなくなり、蓋体で貯米ケースの上端開口を簡単に塞ぐことができ、貯米ケースの上端開口を蓋体で開閉する作業が非常に楽になる。
【図面の簡単な説明】
【００１０】
【図１】本発明の一実施形態を示す自動炊飯機の正面図である。
【図２】同自動炊飯機の側面図である。
【図３】同貯米庫部分の正面断面図である。
【図４】同貯米庫部分の側面断面図である。
【図５】同貯米庫上部の正面断面図である。
【図６】同貯米庫部分の蓋体を外した状態の斜視図である。
【図７】同図６の要部の拡大図である。
【図８】同図６の他の要部の拡大図である。
【図９】同蓋体の上方側から見た分解斜視図である。
【図１０】同蓋体の下方側から見た分解斜視図である。
【図１１】同図１０の要部の拡大斜視図である。
【発明を実施するための形態】
【００１１】
以下、図面に基づいて本発明の実施の形態を説明する。
図１及び図２は米の計量から炊飯までをマイコン制御により自動的に行う業務用（又は家庭用であってもよい）全自動炊飯機１の概略全体構成図を示す。図１及び図２において、自動炊飯機１のメインフレーム２の中途部に洗米装置３が設けられ、メインフレーム２の上部に洗米装置３の貯米庫４が固定されている。
洗米装置３の洗米槽５が貯米庫４の下面に取付固定され、洗米槽５の下方には、炊飯器６が配置可能なスペースが設けられ、メインフレーム２の下端側には炊飯器６が載置されると共に、前方に引出し自在とされた載置台７が設けられている。
【００１２】
メインフレーム２は、下端部の平面視矩形状のベース部材８の後端側の左右両側に支柱部材９を立設して主構成されている。
図３〜図７において、貯米庫４は箱形の貯米ケース１０を備える。貯米ケース１０は洗米槽５の上に配置された貯米タンク１１を有している。貯米ケース１０内の上部に貯米タンク１１が設けられ、この貯米タンク１１の上端開口は米を投入するための投入口とされ、貯米ケース１０の上端開口を蓋体１３により開閉自在に塞ぐようにしており、蓋体１３を開いて貯米タンク１１内に米を補給可能となっている。貯米タンク１１の下端側には、貯米タンク１１内の米を所望量計量して下方に排出する計量機１２が設けられている。貯米ケース１０の前面には、各種設定を行う表示部が設けられている。
【００１３】
貯米ケース１０はケース前壁１５とケース後壁１６と左右一対のケース側壁１７とを有する方形状の箱状に形成されている。ケース前壁１５の上端部に前方に屈曲された前係止部１９が設けられ、ケース後壁１６の上端部に前方に屈曲してなる後係止部２０が設けられ、左右一対のケース側壁１７の上端部に左右方向内方に屈曲してなる左右一対の側方係止部２１が形成されている。
貯米タンク１１はその上部側がタンク前壁２４とタンク後壁２５と左右一対のタンク側壁２６を有する角筒状に形成され、貯米タンク１１の下部側は漏斗状に形成されている。タンク前壁２４の上端部に前方に突出した前係合部２７が設けられ、タンク後壁２５の上端部に後方に突出した後係合部２８が設けられ、左右一対のタンク側壁２６の上端部に外側方に向けてフック状に屈曲してなる側方係合部２９が設けられている。貯米タンク１１を貯米ケース１０内に挿入した状態で、貯米ケース１０の上端の開口縁部である前係止部１９、後係止部２０及び左右一対の側方係止部２１に、貯米タンク１１の前係合部２７、後係合部２８及び側方係合部２９をそれぞれ上側から係合することにより、貯米タンク１１は貯米ケース１０内に保持固定されている。
【００１４】
図３〜図６及び図１０〜図１１において、蓋体１３は、蓋天壁３３と蓋天壁３３の前端から円弧状に下方突出した蓋前壁３４と蓋天壁３３の後端から下方突出した蓋後壁３５と蓋天壁３３の左右両端から下方突出した左右一対の蓋側壁３６とを有している。蓋体１３が貯米ケース１０の上端開口を塞ぐ状態で、蓋体１３の蓋前壁３４が蓋体１３の前係合部２７を前側から覆い、左右一対の蓋側壁３６が一対の側方係合部２９を外側方から覆うと共に、左右一対の蓋側壁３６の下端が左右一対の側方係止部２１の外側端部にそれぞれ上側から接当乃至近接するように構成されている。蓋後壁３５はタンク後壁２５の後係合部２８をその上縁から左右両側に跨って上側から覆うように門型に形成されている。
【００１５】
蓋体１３の蓋天壁３３の前部に左右一対の側壁体３９と底壁体４０とを有する凹部４１が設けられ、凹部４１の側壁体３９の上部間を連結するように取っ手４３が設けられ、取っ手４３と凹部４１の底壁体４０との間に手を挿入可能な隙間４４が形成されている。なお、凹部４１の底壁体４０は、蓋体１３の蓋本体とは別体に合成樹脂により構成されて蓋本体の前部の開口部４５を塞ぐように蓋本体に接合固着されている。蓋体１３の蓋天壁３３の下面側には縦リブ４７及び横リブ４８が複数設けられている。
左右一対のタンク側壁２６の側方係合部２９の上面側が左右一対の支持レール４６とされ、タンク前壁２４の前係合部２７の上端部が前ストッパー５１とされ、タンク側壁２６の後係合部２８に後ストッパー５２が起立状に設けられている。而して、貯米ケース１０の上端開口側の前後に前ストッパー５１と後ストッパー５２とが設けられ、貯米ケース１０の上端開口の左右両側に、支持レール４６が前後方向に設けられている。
【００１６】
蓋天壁３３の前部の下面側に、前ストッパー５１に後側から接当する前接当片５５が下方突設されている。この前接当片５５は図１０に示すように前記蓋本体と底壁体４０とに跨って複数設けられている。蓋後壁３５の下部が、後ストッパー５２に前側から接当する後接当片５６とされ、蓋後壁３５の左右一対の側方係合部２９に対応する部分が左右一対の摺動部５７とされている。而して、蓋体１３に、蓋体１３の閉塞位置で前ストッパー５１に後側から接当して蓋体１３の前方移動を規制する前接当片５５と、蓋体１３の閉塞位置で後ストッパー５２に前側から接当して蓋体１３の後方移動を規制する後接当片５６とが設けられている。また、蓋体１３の後部の左右両側に、蓋体１３の前側を持ち上げることにより前接当片５５が前ストッパー５１に対して上方に外れると共に蓋体１３が前上がりに傾斜して前記一対の支持レール４６にそれぞれ前後摺動可能になる左右一対の摺動部５７が設けられている。
【００１７】
前記支持レール４６及び側方係合部２９は全長に亘ってやや前下がりに傾斜されている。
タンク後壁２５の左右両側に左右一対の後規制部５９が外側方に突設され、これら後規制部５９は前記後ストッパー５２の左右両側に一体に形成されている。蓋体１３の左右一対の蓋側壁３６の後部に、後規制部５９に前側から接当する左右一対の後接当部６０がそれぞれ内方突設されている。
前記実施の形態によれば、蓋体１３を開いて貯米タンク１１に米を補給する場合、作業者は自動炊飯機１の前側から蓋体１３の取っ手４３を把持して蓋体１３の前側を持ち上げた後、蓋体１３を前方に引っ張ればよく、蓋体１３の前側を持ち上げることにより、前接当片５５が前ストッパー５１に対して上方に外れると共に、蓋後壁３５の左右一対の側方係合部２９に対応する左右一対の摺動部５７が、左右一対の支持レール４６にそれぞれ前後摺動自在に載り、左右一対の摺動部５７が左右一対の支持レール４６をそれぞれ前方に摺動することにより、蓋体１３の重量の大部分を支持レール４６に受けさせた状態で蓋体１３がスムーズに前方に移動し、蓋体１３は貯米ケース１０から大きく上方突出した状態になる。従って、その後は取っ手４３を蓋体１３の後部側を持って貯米ケース１０ら前側に外せばよく、重い蓋体１３であっても簡単に貯米ケース１０から外して貯米ケース１０の上端開口を開くことができる。
【００１８】
また、蓋体１３で貯米ケース１０の上端開口を閉じる場合には、作業者は自動炊飯機１の前側から蓋体１３を持ち上げて、蓋後壁３５の左右一対の側方係合部２９に対応する左右一対の摺動部５７を、貯米ケース１０の左右一対の支持レール４６の前部に載せ、その後取っ手４３を把持して蓋体１３の前側を持ち上げて蓋体１３を前上がりに傾斜させ、該一対の一対の摺動部５７を左右一対の支持レール４６上に載せて蓋体１３を後方に押せばよく、蓋後壁３５の左右一対の摺動部５７が左右一対の支持レール４６の後方に摺動して蓋体１３が後方移動する。そして、蓋体１３が貯米ケース１０の上端開口を塞ぐ位置で、後ストッパー５２に後接当片５６が前側から接当すると共に、蓋体１３の後接当部６０が後規制部５９に前側から接当して蓋体１３の後方移動が規制される。その後、持ち上げていた蓋体１３の前側を貯米ケース１０に降ろせばよく、蓋体１３の閉塞位置で前ストッパー５１に前接当片５５が後側から接当して蓋体１３の前方移動が規制され、蓋体１３の閉塞位置で後ストッパー５２に後接当片５６が前側から接当して蓋体１３の後方移動を規制される。
【００１９】
従って、蓋体１３を開いて貯米タンク１１に米を補給する場合、従来のように貯米ケース１０の上端部から蓋体１３を貯米ケース１０よりも高く持ち上げて、貯米ケース１０から蓋体１３を取り外す必要がなくなり、貯米ケース１０の上端開口を簡単に開いて、米を補給することができる。また、蓋体１３で貯米ケース１０の上端開口を閉じる場合、蓋体１３を貯米ケース１０よりも高く持ち上げて貯米ケース１０の上端に嵌合する必要がなくなり、蓋体１３で貯米ケース１０の上端開口を簡単に塞ぐことができ、貯米ケース１０の上端開口を蓋体１３で開閉する作業が非常に楽になる。
【００２０】
なお、前記実施の形態では、左右一対のタンク側壁２６の側方係合部２９の上面側が左右一対の支持レール４６とされ、蓋後壁３５の左右一対の側方係合部２９に対応する部分が、蓋体１３の前側を持ち上げることにより前記一対の支持レール４６にそれぞれ前後摺動可能になる左右一対の摺動部５７とされているが、左右一対の支持レール４６及び左右一対の摺動部５７はこのようなもの限定されず、例えば左右一対の支持レール４６を、貯米ケース１０の左右一対のケース側壁１７の上端部に屈曲形成又は突設し、この支持レール４６に蓋体１３の左右一対の蓋側壁３６が載るように構成して、左右一対の蓋側壁３６の後端下縁を左右一対の摺動部５７とし、蓋体１３の前側を持ち上げることにより、この左右一対の摺動部５７（左右一対の蓋側壁３６の後端下縁）が左右一対の支持レール４６に前後摺動自在に載るようにしてもよい。
【００２１】
また、前記実施の形態では、タンク前壁２４の前係合部２７が前ストッパー５１とされ、前ストッパー５１に後側から接当して蓋体１３の前方移動を規制する前接当片５５が、蓋天壁３３の前部の下面側に下方突設されているが、前ストッパー５１及び前接当片５５はこのようなものに限定されず、例えば、貯米ケース１０のケース前壁１５の上端部に前ストッパー５１を屈曲形成又は突設し、蓋体１３の蓋前壁３４に前接当片５５を屈曲形成又は突設するようにしてもよい。
また、前記実施の形態では、タンク側壁２６の後係合部２８に後ストッパー５２が起立状に設けられ、蓋後壁３５が蓋体１３の閉塞位置で後ストッパー５２に前側から接当して蓋体１３の後方移動を規制する後接当片５６とされているが、後ストッパー５２及び後接当片５６はこのようなものに限定されず、例えば、貯米ケース１０のケース後壁１６の上端部に後ストッパー５２を屈曲形成又は突設し、蓋体１３の蓋天壁３３の後部に後接当片５６を屈曲形成又は突設するようにしてもよい。
【００２２】
また、前記実施の形態では、左右一対の支持レール４６が前下がりに傾斜して配置されているが、これに代え、左右一対の支持レール４６を前下がりに傾斜させることなく前後方向に真っ直ぐに配置するようにしてもよいし、逆に、左右一対の支持レール４６を後下がりに傾斜して配置するようにしてもよい。
【産業上の利用可能性】
【００２３】
自動炊飯機に組み込んだ洗米装置又は自動炊飯機とは別個の洗米装置に利用できる。
【符号の説明】
【００２４】
１    自動炊飯機
４    洗米槽
１０    貯米ケース
１１    貯米タンク
１３    蓋体
１５    ケース前壁
１６    ケース後壁
２６    タンク側壁
２７    前係合部
２８    後係合部
２９    側方係合部
３３    蓋天壁
３４    蓋前壁
３５    蓋後壁
３６    蓋側壁
４６    支持レール
５１    前ストッパー
５２    後ストッパー
５５    前接当片
５６    後接当片
５７    摺動部
５９    後規制部
６０    後接当部
【図１】
2011020027.tif 000003
【図２】
2011020027.tif 000004
【図３】
2011020027.tif 000005
【図４】
2011020027.tif 000006
【図５】
2011020027.tif 000007
【図６】
2011020027.tif 000008
【図７】
2011020027.tif 000009
【図８】
2011020027.tif 000010
【図９】
2011020027.tif 000011
【図１０】
2011020027.tif 000012
【図１１】
2011020027.tif 000013